(57)【要約】【課題】無線リソースを有効活用した無線通信装置、無線通信システム、及び無線通信方法を提供すること。【解決手段】無線通信装置において、第１の受信品質情報と第２の受信品質情報とを生成する生成部と、前記第１及び第２の受信品質情報を他の無線通信装置に送信する送信部と、前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信する受信部とを備える。【選択図】図３
2010016674.tif 000002
【特許請求の範囲】
【請求項１】
無線通信装置において、
第１の受信品質情報と第２の受信品質情報とを生成する生成部と、
前記第１及び第２の受信品質情報を他の無線通信装置に送信する送信部と、
前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信する受信部と
を備えることを特徴とする無線通信装置。  
【請求項２】
前記生成部は前記他の無線通信装置から受信した前記第１の周波数リソースに基づいて前記第２の受信品質情報を生成することを特徴とする請求項１記載の無線通信装置。  
【請求項３】
前記第１の受信品質情報は、前記他の無線通信装置と隣接する隣接無線通信装置が既に割り当てた周波数リソースか否かを示す情報であることを特徴とする請求項１記載の無線通信装置。
【請求項４】
前記送信部は、前記無線通信装置に割り当てられた前記第１の周波数リソースの受信品質が低下したことを示す情報に前記第１の受信品質情報が変化した時、前記第１の受信品質情報を送信することを特徴とする請求項１記載の無線通信装置。  
【請求項５】
前記生成部は、前記第１の受信品質情報を送信できないとき、前記無線通信装置から送信された第２の周波数リソースに基づいて前記第２の受信品質情報を生成することを特徴とする請求項１記載の無線通信装置。  
【請求項６】
前記送信部は、前記第１の受信品質情報と上位Ｎ個の前記第２の受信品質情報とを送信し、
前記生成部は、前記上位Ｎ個の前記第１の周波数リソース以外の第３の周波数リソースを受信したとき、前記第３の周波数リソースに基づいて前記第２の受信品質情報を生成することを特徴とする請求項１記載の無線通信装置。
【請求項７】
無線通信装置において、
他の無線通信装置から第１及び第２の受信品質情報を受信する受信部と、
前記第１の受信品質情報に基づいて前記他の無線通信装置に第１の周波数リソースを割り当て、前記第２の受信品質情報に基づいて前記他の無線通信装置に対する変調方式と符号化率とを決定するスケジューリング部と、
前記割り当てた第１の周波数リソースと前記決定した変調方式及び符号化率とを前記他の無線通信装置に送信する送信部と
を備えることを特徴とする無線通信装置。
【請求項８】
第１の無線通信装置と第２の無線通信装置とで無線通信を行う無線通信システムにおいて、
前記第１の無線通信装置は、第１の受信品質情報と第２の受信品質情報とを生成する生成部と、前記第１及び第２の受信品質情報を前記第２の無線通信装置に送信する送信部とを備え、
前記第２の無線通信装置は、前記第１及び第２の受信品質情報を受信する受信部と、前記第１の受信品質情報に基づいて前記第１の無線通信装置に第１の周波数リソースを割り当て前記第２の受信品質情報に基づいて前記第１の無線通信装置に対する変調方式と符号化率とを決定するスケジューリング部と、前記割り当てた第１の周波数リソースと前記決定した変調方式及び符号化率とを前記他の無線通信装置に送信する送信部とを備える、
ことを特徴とする無線通信システム。
【請求項９】
無線通信装置における無線通信方法において、
第１の受信品質情報と第２の受信品質情報とを生成し、
前記第１及び第２の受信品質情報を他の無線通信装置に送信する送信し、
前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信することを特徴とする無線通信方法。
【請求項１０】
無線通信装置における無線通信方法において、
他の無線通信装置から第１及び第２の受信品質情報を受信し、
前記第１の受信品質情報に基づいて前記他の無線通信装置に第１の周波数リソースを割り当て、前記第２の受信品質情報に基づいて前記他の無線通信装置に対する変調方式と符号化率とを決定し、
前記割り当てた周波数リソースと前記決定した変調方式及び符号化率とを前記他の無線通信装置に送信する、
ことを特徴とする無線通信方法。
【請求項１１】
第１の無線通信装置と第２の無線通信装置とで無線通信を行う無線通信システムにおいて、
前記第１の無線通信装置は、第１の受信品質情報と第２の受信品質情報とを生成し、前記第１及び第２の受信品質情報を前記第２の無線通信装置に送信し、
前記第２の無線通信装置は、前記第１及び第２の受信品質情報を受信し、前記第１の受信品質情報に基づいて前記第１の無線通信装置に第１の周波数リソースを割り当て前記第２の受信品質情報に基づいて前記第１の無線通信装置に対する変調方式と符号化率とを決定し、前記割り当てた第１の周波数リソースと前記決定した変調方式及び符号化率とを前記他の無線通信装置に送信する、
ことを特徴とする無線通信方法。
【発明の詳細な説明】
【技術分野】
【０００１】
本発明は、無線通信装置、無線通信システム、及び無線通信方法に関する。
【背景技術】
【０００２】
従来から、ＯＦＤＭシステムなどの無線通信システムはＡＭＣ（Adaptive Modulation and Coding）とスケジューリングを利用して通信が行われている。
【０００３】
ＡＭＣは、時間により変動する端末の受信品質に応じて、変調方式（ＱＰＳＫ、１６ＱＡＭ、６４ＱＡＭなど）と符号化率（１／２，１／３など）とを基地局が選択する方式である。
【０００４】
一方、スケジューリングは、基地局が配下の端末のそれぞれに対して周波数（と時間）のリソースを割り当てることである。
【０００５】
基地局がＡＭＣとスケジューリングを行うために、端末は受信品質を測定して、品質情報（ＣＱＩ（Channel Quality Indicator））を基地局に送信する（例えば、以下の非特許文献１）。
【０００６】
図１０は従来の処理シーケンス例を示す図である。基地局は既知信号（パイロット信号など）を端末に送信する（Ｓ１００）。端末は既知信号を利用して受信品質（ＳＩＲ（Signal to Interference Ratio））を測定しＣＱＩに変換する（Ｓ１１０）。基地局は端末からのＣＱＩに基づいて（Ｓ１２０）、ＡＭＣパラメータとリソース（周波数等）割り当てを決定し（Ｓ１３０）、端末に送信する（Ｓ１４０，Ｓ１５０）。
【０００７】
ＯＦＤＭシステムなどの場合、周波数リソースごとに受信品質は異なる。従って、基地局が正確にＡＭＣパラメータの選択やスケジューリングを行うために、端末は使用可能なすべての周波数の受信品質を測定しＣＱＩを送信する。しかし、かかる場合、上りリンクの無線リソースを奪うことになる。
【０００８】
そこで、測定した受信品質の中から品質のよい周波数リソースのＣＱＩのみを端末が送信するようにした技術がある（以下の非特許文献２）。
【非特許文献１】HSDPA TS 25.214
【非特許文献２】3GPP TS 36.213
【発明の開示】
【発明が解決しようとする課題】
【０００９】
しかし、端末が品質のよい周波数リソースのＣＱＩを送信しても、他の端末で既に当該周波数リソースが使用されている場合、基地局は当該周波数リソースを端末に割り当てることができない。また、基地局はＡＭＣパラメータを決定することもできない。この場合、端末がＣＱＩを送信した分だけ上りリンクの無線リソースが無駄になる。
【００１０】
そこで、一目的は、無線リソースを有効活用した無線通信装置、無線通信システム、及び無線通信方法を提供することにある。
【課題を解決するための手段】
【００１１】
一態様によれば、無線通信装置において、第１の受信品質情報と第２の受信品質情報とを生成する生成部と、前記第１及び第２の受信品質情報を他の無線通信装置に送信する送信部と、前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信する受信部とを備える。
【００１２】
他の態様によれば、無線通信装置において、他の無線通信装置から第１及び第２の受信品質情報を受信する受信部と、前記第１の受信品質情報に基づいて前記他の無線通信装置に周波数リソースを割り当て、前記第２の受信品質情報に基づいて前記他の無線通信装置に対する変調方式と符号化率とを決定するスケジューリング部と、前記割り当てた周波数リソースと前記決定した変調方式及び符号化率とを前記他の無線通信装置に送信する送信部とを備える。
【００１３】
他の態様によれば、第１の無線通信装置と第２の無線通信装置とで無線通信を行う無線通信システムにおいて、前記第１の無線通信装置は、第１の受信品質情報と第２の受信品質情報とを生成する生成部と、前記第１及び第２の受信品質情報を前記第２の無線通信装置に送信する送信部とを備え、前記第２の無線通信装置は、前記第１及び第２の受信品質情報を受信する受信部と、前記第１の受信品質情報に基づいて前記第１の無線通信装置に周波数リソースを割り当て前記第２の受信品質情報に基づいて前記第１の無線通信装置に対する変調方式と符号化率とを決定するスケジューリング部と、前記割り当てた周波数リソースと前記決定した変調方式及び符号化率とを前記他の無線通信装置に送信する送信部とを備える。
【００１４】
他の態様によれば、無線通信装置における無線通信方法において、第１の受信品質情報と第２の受信品質情報とを生成し、前記第１及び第２の受信品質情報を他の無線通信装置に送信する送信し、前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信する。
【００１５】
他の態様によれば、無線通信装置における無線通信方法において、他の無線通信装置から第１及び第２の受信品質情報を受信し、前記第１の受信品質情報に基づいて前記他の無線通信装置に周波数リソースを割り当て、前記第２の受信品質情報に基づいて前記他の無線通信装置に対する変調方式と符号化率とを決定し、前記割り当てら周波数リソースと前記決定した変調方式及び符号化率とを前記他の無線通信装置に送信する。
【００１６】
他の態様によれば、第１の無線通信装置と第２の無線通信装置とで無線通信を行う無線通信システムにおいて、前記第１の無線通信装置は、第１の受信品質情報と第２の受信品質情報とを生成し、前記第１及び第２の受信品質情報を前記第２の無線通信装置に送信し、前記第２の無線通信装置は、前記第１及び第２の受信品質情報を受信し、前記第１の受信品質情報に基づいて前記第１の無線通信装置に周波数リソースを割り当て前記第２の受信品質情報に基づいて前記第１の無線通信装置に対する変調方式と符号化率とを決定し、前記割り当てた周波数リソースと前記決定した変調方式及び符号化率とを前記他の無線通信装置に送信する。
【発明の効果】
【００１７】
無線リソースを有効活用した無線通信装置、無線通信システム、及び無線通信方法を提供することができる。
【発明を実施するための最良の形態】
【００１８】
以下、図面を参照して本発明を実施するための最良の形態を説明する。
【００１９】
（第１の実施例）
第１の実施例を説明する。図１は端末装置（以下、「端末」）１０、図２は基地局装置（以下、「基地局」）２０の各構成例を示す図である。
【００２０】
端末１０はデータ受信部１１と、レベル測定部１２と、ＣＱＩ変換部１３と、ＣＱＩ送信部１４とを備える。
【００２１】
データ受信部１１は、基地局２０から送信されたデータや制御チャネル等を受信する。
【００２２】
レベル測定部１２は、基地局２０から送信されたパイロット信号、プリアンブル信号等の既知信号を受信し、既知信号に基づいて受信品質（例えばＳＩＲ。ＳＩＮＲ（Signal to Interference and Noise Ratio）、ＣＩＲ（Carrier to Interference Ratio）等でもよい）を測定する。また、レベル測定部１２は端末１０が使用可能な全周波数の受信品質も測定する。
【００２３】
ＣＱＩ変換部１３は、レベル測定部１２からの受信品質をＣＱＩ（品質情報）に変換する。本実施例においてＣＱＩは２種類ある。詳細は後述する。
【００２４】
ＣＱＩ送信部１４は、ＣＱＩ変換部１３で変換されたＣＱＩを基地局２０に送信する。
【００２５】
一方、基地局２０は、ＣＱＩ受信部２１と、スケジューラ２２と、データ送信部２３を備える。
【００２６】
ＣＱＩ受信部２１は、端末１０から送信されたＣＱＩを受信し、スケジューラ２２に出力する。
【００２７】
スケジューラ２２は、ＣＱＩに基づいて、端末１０に対する周波数リソースを割り当て（スケジューリング）、さらに端末１０に対する変調方式（ＱＰＳＫ、１６ＱＡＭ、６４ＱＡＭなど）と符号化方式を決定する（ＡＭＣ）。
【００２８】
データ送信部２３は、スケジューラ２２で決定した周波数リソースの情報や、変調方式及び符号化方式の情報（ＡＭＣパラメータ情報）を端末１０に送信する。データ送信部２３は、これらの情報を例えば制御チャネルとして送信する。また、データ送信部２３は既知信号も送信する。
【００２９】
次に動作を説明する。図３はＣＱＩの送受信に関するシーケンス例を示す図である。まず、基地局２０のデータ送信部２３は、既知信号を端末１０に送信する（Ｓ１０）。
【００３０】
端末１０のレベル測定部１２は既知信号を受信し、既知信号に基づいて受信品質を測定し、さらに端末１０の使用可能な全周波数の受信品質も測定する。そして、ＣＱＩ変換部１３は測定した受信品質をリソース割り当て用ＣＱＩに変換する（Ｓ１１）。
【００３１】
リソース割り当て用ＣＱＩは、基地局２０において周波数リソースを決定する（割り当てる）際にその判断のための使用されるＣＱＩである。基地局２０のスケジューラ２２は、周波数リソースを端末１０に割り当てるとき、どの周波数を割り当てれば端末１０の受信品質がよくなるかを決定する。つまり、スケジューラ２２は周波数リソースの割り当てに関して、端末１０の使用可能な周波数に対して各々周波数リソースを割り当てるか否かの判断を行うだけである。よって、リソース割り当て用ＣＱＩに関し、細かい精度は必要ない。
【００３２】
例えば、リソース割り当て用ＣＱＩは、端末１０で使用可能な周波数の各々に対して「高品質」か「低品質」かの２値（１ビット）の情報で表す。この場合、レベル測定部１２は、使用可能な周波数ごとに受信品質を測定する。そして、ＣＱＩ変換部１３は、受信品質を上位から並べ、上位半分を「高品質」、残り半分を「低品質」とすることで、受信品質をリソース割り当て用ＣＱＩに変換する。
【００３３】
次いで、ＣＱＩ送信部１４はリソース割り当て用ＣＱＩを基地局２０に送信する（Ｓ１２）。
【００３４】
次いで、基地局２０のＣＱＩ受信部２１はリソース割り当て用ＣＱＩを受信し、スケジューラ２２はこのＣＱＩに基づいて端末１０の周波数リソースを決定する（割り当てる）。スケジューラ２２は、リソース割り当て用ＣＱＩに基づいて、端末１０が使用可能な周波数のうち「高品質」を示す周波数を当該端末１０の周波数リソースとして割り当てる。スケジューラ２２が割り当てる周波数リソースは一つでもよいし複数でもよい。
【００３５】
ここで、ＣＱＩ受信部２１が多数の端末からそれぞれリソース割り当て用ＣＱＩを受信したとき、スケジューラ２２はどの端末に対してもリソース割り当て用ＣＱＩが「高品質」を示す周波数リソースを割り当てるのが好ましい。とくに、スケジューラ２２はセル端の端末１０に対して通信回線を維持するために優先的に「高品質」の周波数リソースを割り当てるのが好ましい。
【００３６】
データ送信部２３は、スケジューラ２２が割り当てた周波数リソースを、割り当てリソース情報として端末１０に送信する（Ｓ１４）。
【００３７】
次いで、端末１０のデータ受信部１１は、割り当てリソース情報を受信すると、レベル測定部１２に指示を出力し、レベル測定部１２は割り当てリソース情報に含まれる周波数の受信品質を測定する。そして、ＣＱＩ変換部１３は受信品質をＣＱＩ（以下、「ＡＭＣ用ＣＱＩ」）に変換する（Ｓ１５）。
【００３８】
このＡＭＣ用ＣＱＩは、基地局２０のスケジューラ２２で変調方式と符号化率を決定する際に用いられるＣＱＩである。端末１０と基地局２０と間の通信リンクの特性に合致した変調方式や符号化率が選択されるためには、ＡＭＣ用ＣＱＩはリソース割り当て用ＣＱＩよりも細かい精度（例えば、１ｄＢ）の方が良い。ただし、レベル測定部１２は指定された周波数のＣＱＩを測定すればよい。なお、ＡＭＣ用ＣＱＩは、周波数リソース情報に含まれる周波数の受信品質そのもの（例えばＳＩＲ）を、例えば所定ビット（５〜１０ビットなど）に変換した値である。
【００３９】
次いで、ＣＱＩ送信部１４はＡＭＣ用ＣＱＩを基地局２０に送信する（Ｓ１６）。
【００４０】
次いで、基地局２０のスケジューラ２２はＡＭＣ用ＣＱＩに基づいて変調方式と符号化率を決定する（Ｓ１７）。
【００４１】
その後、基地局２０は、決定した変調方式及び符号化率の情報（ＡＭＣパラメータ）を制御チャネルとして送信する。また、基地局２０は決定した変調方式等で端末１０にデータを送信する。端末１０は制御チャネルからＡＣＭパラメータを取り出し、決定した変調方式等で基地局２０からのデータを受信したり、基地局２０にデータを送信する。
【００４２】
周波数リソースの割り当てや変調方式等の決定（Ｓ１３，Ｓ１７）後、例えば一定時間経過後に再び端末１０がリソース割り当て用ＣＱＩを送信し（Ｓ１２，Ｓ１６）、周波数リソースの割り当て等を行うようにしてもよい（Ｓ１３，Ｓ１７）。ここで、基地局２０は、必要に応じて不要なＣＱＩを送信しないように端末１０に指示することもできる。
【００４３】
このように第１の実施例において、端末１０はリソース割り当て用ＣＱＩとＡＭＣ用ＣＱＩの２つに分けてＣＱＩを送信する。
【００４４】
ＡＭＣ用ＣＱＩは、基地局で割り当てられた周波数についてのＣＱＩである。よって、端末１０が使用可能な全ての周波数についてＣＱＩを送信する場合と比較して送信量は少ない。従って、上り回線の無線リソースは送信量が少ない分だけ他のリソースに使用でき、有効活用できる。
【００４５】
一方、リソース割り当て用ＣＱＩは、使用可能な全周波数についてのＣＱＩであるものの、ＣＱＩそのもの値は２値である。よって、全体の送信量はＳＩＲ等の受信品質そのものを送信する場合と比較して少ない。従って、上り回線の無線リソースは送信量が少ない分だけ他のリソースに使用できるため有効活用できる。
【００４６】
（第２の実施例）
次に第２の実施例を説明する。第２の実施例はセル端に位置する端末１０に対して適用される例である。
【００４７】
図４は端末１０‐１，１０‐２と複数の基地局２０‐１，２０‐２との関係を示す図である。自端末１０‐１は接続中の基地局（＃１）２０‐１のセル端に位置する。このとき自端末１０‐１は、隣接基地局（＃２）２０‐２からの信号が干渉となる場合がある。この場合、自端末１０‐１が既知信号の受信品質（例えば、ＳＩＲ）を測定すると、干渉にならない場合と比較して低い値となる。
【００４８】
図５（Ａ）及び同図（Ｂ）は既知信号がどの周波数に割り当てられたかの例を示す図である。これらの図に示すように、接続基地局２０‐１と隣接基地局２０‐２とは異なる周波数を利用して既知信号を送信する。このとき、隣接基地局２０‐２が周波数リソース割り当てにより、接続基地局２０‐１が既知信号を送信するときに使用する周波数を配下の他端末１０‐２に割り当てると、端末１０‐１が測定したＳＩＲはそれが干渉となって劣化する。一方、既知信号を送信するために使用される周波数が、隣接基地局２０‐２で割り当てられていないと自端末１０‐１におけるＳＩＲは高い値となる。第２の実施例では、このＳＩＲの高低を、リソース割り当て用ＣＱＩの「高品質」と「低品質」の判断の指標とする例である。言い換えると、基地局２０‐１は、リソース割り当て用ＣＱＩにより隣接基地局２０‐２で既に割り当てられた周波数か否かを判断する例である。
【００４９】
図６はリソース割り当て用ＣＱＩの処理の例を示すフローチャートである。同図は第１の実施例のＳ１１で行われる処理である。
【００５０】
まず、レベル測定部１２は、接続基地局（自セル）２０‐１からの既知信号に基づいて既知信号の電力Ｐ１を測定する。
【００５１】
次いで、レベル測定部１２は、隣接基地局２０‐２からの既知信号に基づいて隣接基地局２０‐２からの既知信号の電力Ｐ２を測定する。隣接基地局２０‐２が複数ある場合、レベル測定部１２は各々の既知信号の電力を測定しその合計値を求める。なお、レベル測定部１２は、接続基地局２０‐１と隣接基地局２０‐２の既知信号の各周波数を保持し、当該周波数に基づいて各既知信号を受信し各電力Ｐ１，Ｐ２を測定する。
【００５２】
次いで、ＣＱＩ変換部１３は、接続基地局２０‐１のＳＩＲを算出し、ＳＩＲ＞（Ｐ１／Ｐ２＋α（αは正の定数））のとき「高品質」、ＳＩＲ＜（Ｐ１／Ｐ２＋α）のとき「低品質」とし、「高品質」又は「低品質」をリソース割り当て用ＣＱＩとする。
【００５３】
接続基地局２０‐１からの既知信号を送信するための周波数リソースが隣接基地局２０‐２のデータ送信に割り当てられているとき、自端末１０‐１で測定したＳＩＲは、
ＳＩＲ≒Ｐ１／Ｐ２      ・・・（１）
となる。接続基地局２０‐１からの電力Ｐ１に対して隣接基地局２０‐２からの電力Ｐ２が干渉となるため、自端末１０‐１で測定したＳＩＲは式（１）となる。そして、式（１）が成立するときは干渉が発生しているため既知信号の受信品質は低品質となる。従って、前述のようにＳＩＲ＜（Ｐ１／Ｐ２＋α）のとき、既知信号の受信品質は「低品質」となる。
【００５４】
一方、接続基地局２０‐１から既知信号を送信するための周波数リソースが隣接基地局２０‐２で他の端末１０‐２に割り当てられていないとき、ＳＩＲは
ＳＩＲ＝∞      ・・・（２）
となる。隣接基地局２０‐２からの電力Ｐ２は「０」に近い値を取るためである。従って、ＳＩＲ＞（Ｐ１／Ｐ２＋α）のとき、既知信号の受信品質は「高品質」となる。
【００５５】
以上の例は既知信号の周波数の例で説明したが、他の周波数でも同様である。端末１０が使用可能な全周波数のＳＩＲを測定し、各々についてＳ３１〜Ｓ３３の処理を行うことで同様に実施できる。また、ＳＩＲ以外の受信品質（ＣＩＲ等）でも同様に実施できる。
【００５６】
次いで、ＣＱＩ送信部１４は、リソース割り当て用ＣＱＩを送信する（Ｓ３４）。以後は第１の実施例と同様に処理が行われる。
【００５７】
基地局２０は、端末１０から「低品質」のリソース割り当て用ＣＱＩを受信すると、当該周波数リソースは既に隣接基地局２０‐２で使用されていると判断し、「高品質」のリソース割り当て用ＣＱＩを示す周波数を当該端末１０‐１に割り当てるように（干渉を避けるように）スケジューリングする（Ｓ１３）。
【００５８】
また、基地局２０は「高品質」の他の周波数リソースに割り当てを切り換えることも可能である。基地局２０は切り換えた周波数リソースを端末１０に通知し（Ｓ１４）、再度端末１０はリソース割り当て用ＣＱＩを測定したり（Ｓ３１〜Ｓ３４）、切り換えた周波数リソースでＡＭＣ用ＣＱＩを測定（Ｓ１５）することもできる。
【００５９】
（第３の実施例）
次に第３の実施例を説明する。第３の実施例も端末１０がセル境界に位置する場合を想定した例である。
【００６０】
端末１０はリソース割り当て用ＣＱＩを定期的（例えば、５０ｍｓ）に基地局２０に報告することが望ましい。図７はリソース割り当て用ＣＱＩが定期的に送信される例を示す図である。同図は横軸が時間、縦軸がリソース割り当て用ＣＱＩの送信電力を示す。
【００６１】
第１及び第２の実施例において基地局２０が一度割り当てた周波数リソースは一定期間そのまま使用されることを想定している。しかし、第２の実施例で説明したように、周波数リソースが隣接基地局２０‐２に割り当てられた否かをＳＩＲで予測し干渉を避けるようにするときでも、全く同時にたまたま隣接基地局２０‐２でも同じ周波数リソースが割り当てられる場合もある。かかる場合、干渉となる周波数リソースは互いに基地局２０‐１，２０‐２どうしで使用しない方がよい。
【００６２】
そこで、定期的なリソース割り当て用ＣＱＩの報告以外に、割り当てられた周波数リソースが「高品質」から「低品質」に変化したとき、端末１０は不定期にリソース割り当て用ＣＱＩを送信する。
【００６３】
例えば、ＣＱＩ変換部１３は、既知信号の受信品質に基づいてリソース割り当て用ＣＱＩに変換する場合において（図３のＳ１１や図６のＳ３３）、リソース割り当て用ＣＱＩが「高品質」から「低品質」に変化したとき、ＣＱＩ送信部１４に直ちに「低品質」の情報を示すリソース割り当て用ＣＱＩの送信を指示する。これにより、割り当て中の周波数リソースの品質が悪くなると不定期のリソース割り当て用ＣＱＩが送信される（Ｓ１２、Ｓ３４）。
【００６４】
基地局２０はこのリソース割り当て用ＣＱＩを受信すると、スケジューラ２２が他の周波数リソースを割り当て（Ｓ１３）、端末１０に報告する（Ｓ１４）。
【００６５】
（第４の実施例）
次に第４の実施例を説明する。第４の実施例は、例えば上り回線の無線リソースが使用されＣＱＩを送信できない場合の例である。図８は第４の実施例におけるシーケンス例を示す図である。
【００６６】
基地局２０は既知信号を送信する（Ｓ１０）。そして、基地局２０のスケジューラ２２は他の端末に割り当て済み周波数リソース以外の周波数リソースのうち、当該端末１０が使用できる周波数リソースを絞り込む（Ｓ４１）。例えば、スケジューラ２２は上り回線が混雑し一定時間経過してもリソース割り当て用ＣＱＩを受信しない場合（或いは、端末１０がリソース割り当て用ＣＱＩを送信できない場合）に本処理を行う。周波数リソースは一つでも複数でもよい。
【００６７】
次いで、データ送信部２３は割り当て可能な周波数リソース情報を端末１０に送信する（Ｓ４２）。
【００６８】
次いで、端末１０のレベル測定部１２は割り当て可能な周波数リソースの受信品質を測定し、ＣＱＩ変換部１３はその周波数リソースの全ての受信品質、または受信品質の上位Ｎ個（Ｎは正の整数）をＡＭＣ用ＣＱＩに変換する（Ｓ４３）。ＡＭＣ用ＣＱＩは第１の実施例１と同様に受信品質（例えば、ＳＩＲ）を所定ビットで変換した値でよい。
【００６９】
次いで、ＣＱＩ送信部１４はＡＭＣ用ＣＱＩを基地局２０に送信する（Ｓ４４）。
【００７０】
次いで、スケジューラ２２はＡＭＣ用ＣＱＩに基づいて、周波数リソースを割り当て、変調方式や符号化率を決定する（Ｓ１７）。以後は第１の実施例と同様である。
【００７１】
第４の実施例は、端末１０から基地局２０に周波数リソース割り当て用ＣＱＩが送信されないため、その分、上り回線の無線リソースを他に使用でき有効活用できる。
【００７２】
（第５の実施例）
次に第５の実施例を説明する。図９は第５の実施例におけるシーケンス例を示す図である。
【００７３】
基地局２０は既知信号を送信する（Ｓ１０）。
【００７４】
次いで、端末１０は、端末１０が使用可能な全周波数の受信品質を測定し、リソース割り当て用ＣＱＩを求める（Ｓ１１）。このとき、端末１０は受信品質のうち上位Ｎ個（Ｎは正の整数）のＡＭＣ用ＣＱＩを測定し、リソース割り当て用ＣＱＩとともに基地局２０に送信する（Ｓ５１）。
【００７５】
基地局２０のスケジューラ２２は、リソース割り当て用ＣＱＩに基づいて端末１０に周波数リソースを割り当てる（Ｓ１３）。
【００７６】
このとき、スケジューラ２２は、端末１０から送信された上位Ｎ個の周波数リソースの中に割り当てた周波数リソースが含まれている場合、割り当てた周波数リソースのＡＭＣ用ＣＱＩに基づいて変調方式と符号化率とを決定する（Ｓ１７）。
【００７７】
一方、端末１０から送信された上位Ｎ個の周波数リソースの中に割り当てた周波数リソースが含まれていない場合（例えば上位Ｎ個の周波数リソースが既に他の端末に割り当てられた場合）、スケジューラ２２は、上位Ｎ個以外の周波数リソースであって、リソース割り当て用ＣＱＩとして送信された周波数リソースの中から周波数リソースを割り当てる。そして、データ送信部２３はその情報を端末１０に送信する（Ｓ５２）。端末１０に送信する周波数リソースは一つでも複数でもよい。
【００７８】
端末１０は、送信された周波数リソースを用いてＡＭＣ用ＣＱＩを測定し（Ｓ１５）、基地局２０に送信する（Ｓ１６）。
【００７９】
基地局２０は、送信されたＡＭＣ用ＣＱＩを用いてスケジューリング（変調方式等の決定）を行う（Ｓ１７）。以後は第１の実施例と同様に、決定した変調方式等で基地局２０は端末１０にデータを送信し、端末１０は制御チャネルからＡＭＣパラメータを受信しそのパラメータに基づいてデータの受信や送信を行う。
【００８０】
割り当てリソース情報の送信（Ｓ５２）と、ＡＭＣ用ＣＱＩの送信（Ｓ１６）は必ずしも行われないため、無線リソースを有効に活用することができる。
【００８１】
（その他の実施例）
第１及び第５の実施例において、端末１０のレベル測定部１２は２つのＣＱＩの夫々について受信品質を測定した（Ｓ１１，Ｓ１５）。例えば、レベル測定部１２は受信品質を一回だけ測定し、その後、ＣＱＩ変換部１３がリソース割り当て用ＣＱＩへの変換（Ｓ１１）とＡＭＣ用ＣＱＩへの変換（Ｓ１５）を行うようにしてもよい。レベル測定部１２は測定した受信品質を保持し、各処理の際（Ｓ１１，Ｓ１５）に読み出せばよい。
【００８２】
また、第１〜第５の実施例において、変調方式及び符号化率の決定（Ｓ１７）は端末１０で行ってもよい。ＡＭＣ用ＣＱＩが送信されずに更に無線リソースを有効活用できる。
【００８３】
以上まとめると付記のようになる。
【００８４】
（付記１）
無線通信装置において、
第１の受信品質情報と第２の受信品質情報とを生成する生成部と、
前記第１及び第２の受信品質情報を他の無線通信装置に送信する送信部と、
前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信する受信部と
を備えることを特徴とする無線通信装置。
【００８５】
（付記２）
前記生成部は前記他の無線通信装置から受信した前記第１の周波数リソースに基づいて前記第２の受信品質情報を生成することを特徴とする付記１記載の無線通信装置。  
【００８６】
（付記３）
前記第１の受信品質情報は、前記他の無線通信装置と隣接する隣接無線通信装置が既に割り当てた周波数リソースか否かを示す情報であることを特徴とする付記１記載の無線通信装置。
【００８７】
（付記４）
前記送信部は、前記無線通信装置に割り当てられた前記第１の周波数リソースの受信品質が低下したことを示す情報に前記第１の受信品質情報が変化した時、前記第１の受信品質情報を送信することを特徴とする付記１記載の無線通信装置。
【００８８】
（付記５）
前記生成部は、前記第１の受信品質情報を送信できないとき、前記無線通信装置から送信された第２の周波数リソースに基づいて前記第２の受信品質情報を生成することを特徴とする付記１記載の無線通信装置。
【００８９】
（付記６）
前記送信部は、前記第１の受信品質情報と上位Ｎ個の前記第２の受信品質情報とを送信し、
前記生成部は、前記上位Ｎ個の前記第１の周波数リソース以外の第３の周波数リソースを受信したとき、前記第３の周波数リソースに基づいて前記第２の受信品質情報を生成することを特徴とする請求項１記載の無線通信装置。  
【００９０】
（付記７）
前記第２の受信品質情報は前記第１の受信品質情報より情報量が多いことを特徴とする付記１記載の無線通信装置。
【００９１】
（付記８）
前記送信部は第１の受信品質情報を定期的に送信することを特徴とする付記１記載の無線通信装置。
【００９２】
（付記９）
前記第１の受信品質情報は前記無線通信装置が受信可能な全周波数に対する受信品質を高品質か否かの２値情報で示した情報であることを特徴とする付記１記載の無線通信装置。
【００９３】
（付記１０）
前記第２の受信品質情報は前記第１の周波数リソースに対する受信品質を示す情報であることを特徴とする付記１記載の無線通信装置。
【００９４】
（付記１１）
無線通信装置において、
他の無線通信装置から第１及び第２の受信品質情報を受信する受信部と、
前記第１の受信品質情報に基づいて前記他の無線通信装置に第１の周波数リソースを割り当て、前記第２の受信品質情報に基づいて前記他の無線通信装置に対する変調方式と符号化率とを決定するスケジューリング部と、
前記割り当てた周波数リソースと前記決定した変調方式及び符号化率とを前記他の無線通信装置に送信する送信部と
を備えることを特徴とする無線通信装置。
【００９５】
（付記１２）
前記スケジューリング部は前記他の無線通信装置以外の他の無線通信装置に割り当てられている周波数リソース以外の第４の周波数リソースを前記他の無線通信装置に割り当て、前記送信部は前記第４の周波数リソースを前記他の無線通信装置に送信し、前記受信部は前記第４の周波数リソースに基づいて前記他の無線通信装置で生成された前記第２の受信品質情報を受信することを特徴とする付記１１記載の無線通信装置。
【００９６】
（付記１３）
前記受信部は、前記第１の受信品質情報と上位Ｎ個の前記第２の受信品質情報とを受信し、
前記スケジューリング部は、前記上位Ｎ個の前記第１の周波数リソースの中から前記他の無線通信装置に周波数リソースを割り当てることができないとき、前記上位Ｎ個の第１の周波数リソース以外の第５の周波数リソースを前記他の無線通信装置に割り当て、
前記送信部は前記第５の周波数リソースを前記他の無線通信装置に送信することを特徴とする付記１１記載の無線通信装置。
【００９７】
（付記１４）
第１の無線通信装置と第２の無線通信装置とで無線通信を行う無線通信システムにおいて、
前記第１の無線通信装置は、第１の受信品質情報と第２の受信品質情報とを生成する生成部と、前記第１及び第２の受信品質情報を前記第２の無線通信装置に送信する送信部とを備え、
前記第２の無線通信装置は、前記第１及び第２の受信品質情報を受信する受信部と、前記第１の受信品質情報に基づいて前記第１の無線通信装置に第１の周波数リソースを割り当て前記第２の受信品質情報に基づいて前記第１の無線通信装置に対する変調方式と符号化率とを決定するスケジューリング部と、前記割り当てた第１の周波数リソースと前記決定した変調方式及び符号化率とを前記他の無線通信装置に送信する送信部とを備える、
ことを特徴とする無線通信システム。
【００９８】
（付記１５）
無線通信装置における無線通信方法において、
第１の受信品質情報と第２の受信品質情報とを生成し、
前記第１及び第２の受信品質情報を他の無線通信装置に送信する送信し、
前記他の無線通信装置が前記第１の受信品質情報に基づいて前記無線通信装置に割り当てた第１の周波数リソースと、前記第２の受信品質情報に基づいて前記無線通信装置に対して決定した変調方式及び符号化率とを受信することを特徴とする無線通信方法。
【００９９】
（付記１６）
無線通信装置における無線通信方法において、
他の無線通信装置から第１及び第２の受信品質情報を受信し、
前記第１の受信品質情報に基づいて前記他の無線通信装置に第１の周波数リソースを割り当て、前記第２の受信品質情報に基づいて前記他の無線通信装置に対する変調方式と符号化率とを決定し、
前記割り当てた前記第１の周波数リソースと前記決定した変調方式及び符号化率とを前記他の無線通信装置に送信する、
ことを特徴とする無線通信方法。
【０１００】
（付記１７）
第１の無線通信装置と第２の無線通信装置とで無線通信を行う無線通信システムにおいて、
前記第１の無線通信装置は、第１の受信品質情報と第２の受信品質情報とを生成し、前記第１及び第２の受信品質情報を前記第２の無線通信装置に送信し、
前記第２の無線通信装置は、前記第１及び第２の受信品質情報を受信し、前記第１の受信品質情報に基づいて前記第１の無線通信装置に第１の周波数リソースを割り当て前記第２の受信品質情報に基づいて前記第１の無線通信装置に対する変調方式と符号化率とを決定し、前記割り当てた第１の周波数リソースと前記決定した変調方式及び符号化率とを前記他の無線通信装置に送信する、
ことを特徴とする無線通信方法。
【図面の簡単な説明】
【０１０１】
【図１】図１は端末装置の構成例を示す図である。
【図２】図２は基地局装置の構成例を示す図である。
【図３】図３はＣＱＩを送受信する処理シーケンスの例を示す図である。
【図４】図４はセル端に位置する端末の例を示す図である。
【図５】図５（Ａ）及び同図（Ｂ）は既知信号の周波数割り当て例を示す図である。
【図６】図６はリソース割り当て用ＣＱＩの処理の例を示すフローチャートである。
【図７】図７はリソース割り当て用ＣＱＩが定期的に送信される例を示す図である。
【図８】図８はＣＱＩが送受信される処理シーケンスの例を示す図である。
【図９】図９はＣＱＩが送受信される処理シーケンスの例を示す図である。
【図１０】図１０はＣＱＩが送受信される従来の処理シーケンスの例を示す図である。
【符号の説明】
【０１０２】
１０  端末装置（端末）、  １０‐１，１０‐２  端末、  １１  データ受信部、  １２  レベル測定部、  １３  ＣＱＩ変換部、  １４  ＣＱＩ送信部、  ２０  基地局装置（基地局）、  ２０‐１，２０‐２  基地局、  ２１  ＣＱＩ受信部、  ２２  スケジューラ、  ２３  データ送信部
【図１】
2010016674.tif 000003
【図２】
2010016674.tif 000004
【図３】
2010016674.tif 000005
【図４】
2010016674.tif 000006
【図５】
2010016674.tif 000007
【図６】
2010016674.tif 000008
【図７】
2010016674.tif 000009
【図８】
2010016674.tif 000010
【図９】
2010016674.tif 000011
【図１０】
2010016674.tif 000012